(57)【要約】【課題】本考案は、本体部の各スイッチボタン、表部及び各側部の少なくとも１つに付加部材を設け、パソコン使用時の疲れ等の緩和作用を得ることができ、又、操作の時、マウス装置に直接触れる手のツボを刺激することを目的とする。【解決手段】本考案によるマウス装置は、本体部(1)の各スイッチボタン(4,5,6)、表部(3)及び各側部(7,8)の少なくとも１つに磁石、トルマリン鉱石、ゲルマニウム、セラミック、マイナスイオン発生装置及び自然鉱石のいずれか１つを設けた構成である。【選択図】図１
0003117799.tif 000002
【実用新案登録請求の範囲】
【請求項１】
複数のスイッチボタン(4,5,6)を有する本体部(1)と、前記本体部(1)に形成された表部(3)及び前記表部(3)の両側に位置する第１、第２側部(7,8)とを有し、少なくとも前記各スイッチボタン(4,5,6)の操作からの信号によりパソコンの操作を行うようにしたマウス装置において、
前記スイッチボタン(4,5,6)、表部(3)及び第１、第２側部(7,8)の少なくとも１つに磁石、トルマリン鉱石、ゲルマニウム、セラミック、マイナスイオン発生装置及び自然鉱石のいずれか１つを設けたことを特徴とするマウス装置。
【請求項２】
前記磁石、トルマリン鉱石、ゲルマニウム、セラミック、マイナスイオン発生装置は、前記スイッチボタン(4,5,6)、表部(3)及び第１、第２側部(7,8)の少なくとも１つの表面から露出した状態又は表面から内部に隠れた状態で設けられていることを特徴とする請求項１記載のマウス装置。
【請求項３】
前記トルマリン鉱石、ゲルマニウム及びセラミック及び自然鉱石は、粉末として前記スイッチボタン(4,5,6)、表部(3)及び第１、第２側部(7,8)を形成する樹脂材料中に混入されていることを特徴とする請求項１又は２記載のマウス装置。
【考案の詳細な説明】
【技術分野】
【０００１】
本考案は、マウス装置に関し、特に、本体部のスイッチボタン、表部及び各側部の少なくとも１つに、磁石、トルマリン鉱石、ゲルマニウム、セラミック、マイナスイオン発生装置及び自然鉱石の少なくとも１つを設け、これらから発生するマイナスイオン等の成分作用により、パソコン使用時の疲れ等の緩和作用を得るため、又、操作の時、マウス装置に直接触れる手のツボを刺激するための新規な改良に関する。
【背景技術】
【０００２】
従来、用いられていたこの種のマウス装置としては、例えば、特許文献１及び２に開示されているように、本体部に複数のスイッチボタンが設けられ、裏面にボール又は赤外線等を用いた座標検出手段が設けられ、手の操作によってパソコンの操作を行っている。
【０００３】
【特許文献１】特開平１１−３５３１０５号公報
【特許文献２】特開平１１−１４９３４６号公報
【考案の開示】
【考案が解決しようとする課題】
【０００４】
従来のマウス装置は、以上のように構成されていたため、次のような課題が存在していた。
すなわち、パソコンの操作をするためには、マウス装置を何時間も継続して行わなければならず、目の疲れ、肩こり等の発生となり、現代病の１つとも云われている。
しかしながら、マウス装置自体は、樹脂成形品であるため、何らの健康面に配慮した細工は施されておらず、健康を良くするような作用は全く付加されていなかった。
【課題を解決するための手段】
【０００５】
本考案によるマウス装置は、複数のスイッチボタンを有する本体部と、前記本体部に形成された表部及び前記表部の両側に位置する第１、第２側部とを有し、少なくとも前記各スイッチボタンの操作からの信号によりパソコンの操作を行うようにしたマウス装置において、前記スイッチボタン、表部及び第１、第２側部の少なくとも１つに磁石、トルマリン鉱石、ゲルマニウム、セラミック、マイナスイオン発生装置及び自然鉱石のいずれか１つを設けた構成であり、また、前記磁石、トルマリン鉱石、ゲルマニウム、セラミック、マイナスイオン発生装置は前記スイッチボタン、表部及び第１、第２側部の少なくとも１つの表面から露出した状態又は表面から内部に隠れた状態で設けられている構成であり、また、前記トルマリン鉱石、ゲルマニウム及びセラミック及び自然鉱石は、粉末として前記スイッチボタン、表部及び第１、第２側部を形成する樹脂材料中に混入されている構成である。
【考案の効果】
【０００６】
本考案によるマウス装置は、以上のように構成されているため、次のような効果を得ることができる。
すなわち、本体部のスイッチボタン、表部及び各側部の少なくとも１つに、磁石、トルマリン鉱石、ゲルマニウム、セラミック、マイナスイオン発生装置及び自然鉱石の少なくとも１つを設け、これらから発生するマイナスイオン等の成分作用により、パソコン使用時の疲れ等の緩和作用に役立ったり、又、操作の時、マウス装置に直接触れる手のツボを刺激することにより、マウス装置の操作をしつつ体に対してヘルシーな効果を得ることができる。
【考案を実施するための最良の形態】
【０００７】
本考案は、本体部のスイッチボタン、表部及び各側部の少なくとも１つに、磁石、トルマリン鉱石、ゲルマニウム、セラミック、マイナスイオン発生装置及び自然鉱石の少なくとも１つを設け、これらから発生するマイナスイオン等の成分作用により、パソコン使用時の疲れ等の緩和作用を得ることができ、又、操作の時、マウス装置に直接触れる手のツボを刺激することができるようにしたマウス装置を提供することを目的とする。
【実施例】
【０００８】
以下、図面と共に本考案によるマウス装置の好適な実施の形態について説明する。
図１から図３において符号１で示されるものはマウス装置２の本体部であり、この本体部１は、形状自体は種々市販されているが、ここでは、一例として代表的な形状について示している。
【０００９】
前記本体部１は、その形状自体について、手になじみやすく、長時間の操作によっても手や体が疲れにくいように、種々工夫がなされている。
前記本体部１には、表部３の前側の左右に一対のスイッチボタン４、５が設けられ、この各スイッチボタン４、５の間に異なる機能のスイッチボタン６が設けられている。従って、各スイッチボタン４、５、６の操作から発生する信号によりパソコンが操作されるように構成されている。
【００１０】
前記本体部１の前記表部３の両側には一対の側部７、８が形成され、前記表部３の裏側には、図示しないが、ボール、赤外線等の手段を用いた座標検出手段が設けられている。
【００１１】
前記本体部１の各スイッチボタン４、５、６及び各側部７、８は、何れも樹脂による成形品で構成され、前記各スイッチボタン４、５、６、表部３、各側部７、８には、点線で示されているように、例えば、磁石、トルマリン鉱石、ゲルマニウム、セラミック、マイナスイオン発生装置及び自然鉱石の何れかからなる付加部材１０が設けられており、これらの付加部材１０からは磁力、マイナスイオン等の成分が発生する。
【００１２】
前述の構成において、前記マウス装置２を手で握るようにして操作すると、前記付加部材１０に手の内側の部分が当接することになる。
前記手の内側のツボは、周知のように、手首から手の裏、各指において、約３７の体の臓器や各部分に対して対応するように構成されている。
【００１３】
従って、前述のように、手でマウス装置２を操作すると、この各付加部材１０から発生する前述の成分の作用によって、手の各ツボに対して刺激が与えられることになり、各ツボに対応したからだの各部分及び臓器等にこの刺激が伝達されることにより、リラクゼーション等の状態が発生し、体の疲労の防止等に対する一助となる。
また、前記付加部材１０から発生する成分作用は、マウス装置に直接触れなくても発生するマイナスイオン等は直接手のツボを刺激しなくても、接触あるいは身近においてあるだけでリラクゼーション等の状態が発生し、体の疲労の防止等に対する助けとなる。
【００１４】
また、前述の構成においては、前記付加部材１０を、マウス装置２の各スイッチボタン４、５、６、表部３及び各側部７、８に設けた場合について述べたが、これらの中の少なくとも１つに設けた場合も有効であり、付加部材１０の設置場所と数は、少なくとも１個からそれ以上、適当に設けることができる。
【００１５】
また、前記付加部材１０は、所定の形状が存在する状態で用いる場合には、各スイッチボタン４、５、６、表部３及び各側部７、８の表面から隠れて内部に埋設した場合、又は、表面から一部が露出した場合等とすることができる。
【００１６】
また、前記付加部材１０を所定の形状が存在する状態で用いる場合に限ることなく、例えば、前記付加部材１０の中、トルマリン鉱石、ゲルマニウム及びセラミック及び自然鉱石は、粉末として、前記スイッチボタン４、５、６、表部３及び各側部７、８を成形する樹脂材料の中に混入して一体成形するようにした場合、並びに、前記粉末の代りに液体の材料とし、マウス装置２の各部に塗布した場合も、前述と同様の作用効果を得ることができる。
【産業上の利用可能性】
【００１７】
本考案は、パソコン用のマウス装置に限ることなく、医療用等の座標入力装置にも適用可能である。
【図面の簡単な説明】
【００１８】
【図１】本考案によるマウス装置を示す平面図である。
【図２】図１の左側面図である。
【図３】図１の右側面図である。
【符号の説明】
【００１９】
１    本体部
２    マウス装置
３    表部
４    スイッチボタン
５    スイッチボタン
６    スイッチボタン
７    側部
８    側部
１０    付加部材
【図１】
0003117799.tif 000003
【図２】
0003117799.tif 000004
【図３】
0003117799.tif 000005